(57)【要約】【課題】十分な音圧を得つつ薄型化を図ることができる音響装置及び計器装置を提供する。【解決手段】ブザー１０の共鳴空間部１８が、基板１１と裏カバー１４との間に設けられている。裏カバー１４の側壁に設けられた凸部１９の正面に、放音孔２０が設けられている。音導入路２１が、共鳴空間部１８と放音孔２０とを連通する音導入路２１であって、基板１１に沿って設けられると共に放音孔２０に近づくに従ってその断面積が大きくなるように設けられている。【選択図】図３
2008070481.tif 000002
【特許請求の範囲】
【請求項１】
音を発生させる振動板と、背面に前記振動板が搭載される基板と、該基板の正面に配置される計器と、該計器及び前記基板を収容する収容ケースと、該収容ケースの基板側に設けた開口部を覆うカバーとを備えた計器装置において、
前記基板と前記カバーとの間に設けられた前記振動板の共鳴空間部と、
前記カバーの側壁に設けられた放音孔と、
前記共鳴空間部と前記放音孔とを連通する音導入路であって、前記基板に沿って設けられると共に前記放音孔に近づくに従ってその断面積が大きくなるように設けられた音導入路と
を備えたことを特徴とする計器装置。
【請求項２】
前記放音孔が前記カバーの側壁に設けられた凸部の正面に設けられたことを特徴とする請求項１記載の計器装置。
【請求項３】
前記共鳴空間部の前記基板と直交する方向の高さが、前記音導入路の高さよりも大きくなるように設けられていることを特徴とする請求項１又は２記載の計器装置。
【請求項４】
前記音導入路が、前記共鳴空間部を中心とした前記基板に沿った渦巻き状になるように設けられていることを特徴とする請求項１〜３何れか１項記載の計器装置。
【請求項５】
音を発生させる振動板と、背面に前記振動板が搭載される基板と、該基板を収容する収容ケースと、該収容ケースの基板側に設けた開口部を覆うカバーとを備えた音響装置において、
前記基板と前記カバーとの間に設けられた前記振動板の共鳴空間部と、
前記カバーの側壁に設けられた放音孔と、
前記共鳴空間部と前記放音孔とを連通する音導入路であって、前記基板に沿って設けられると共に前記放音孔に近づくに従ってその断面積が大きくなるように設けられた音導入路と
を備えたことを特徴とする音響装置。
【発明の詳細な説明】
【技術分野】
【０００１】
本発明は、計器装置及び音響装置に係り、特に、音を発生させる振動板と、背面に前記振動板が搭載される基板と、該基板の正面に配置される計器と、該計器及び前記基板を収容する収容ケースと、該収容ケースの基板側に設けた開口部を覆うカバーとを備えた計器装置及び計器装置に関するものである。
【背景技術】
【０００２】
一般的に、車両に搭載されるコンビネーションメータなどの計器装置内に備えられた振動板を有するブザーは、計器装置の収容ケース正面に放音孔が設けられている（例えば、特許文献１）。しかしながら、単に収容ケース正面に放音孔を設けるだけの構成では、ブザーからの音圧を効率的に外部に出力することができない。このため、低消費電力の小型ブザーを用いると、十分な音圧を得ることができない。
【０００３】
そこで、ブザーの音圧を上げるために、例えば図７に示すように、ブザー１から出力された音を背面側に設けた共振部材２で共振・反射させてから正面に設けた放音孔３から出力する警報装置も考えられている（特許文献２）。
【０００４】
しかしながら、上述した警報装置では、ブザー１の背面に共振部材２を設ける必要があり、前後方向Ｙ１の厚みが大きくなり、薄型化を図ることができないという問題があった。
【特許文献１】特開昭５７−７２１１５号公報
【特許文献２】特開昭５８−３３４４号公報
【発明の開示】
【発明が解決しようとする課題】
【０００５】
そこで、本発明は、上記のような問題点に着目し、十分な音圧を得つつ薄型化を図ることができる音響装置及び計器装置を提供することを課題とする。
【課題を解決するための手段】
【０００６】
上記課題を解決するためになされた請求項１記載の発明は、音を発生させる振動板と、背面に前記振動板が搭載される基板と、該基板の正面に配置される計器と、該計器及び前記基板を収容する収容ケースと、該収容ケースの基板側に設けた開口部を覆うカバーとを備えた計器装置において、前記基板と前記カバーとの間に設けられた前記振動板の共鳴空間部と、前記カバーの側壁に設けられた放音孔と、前記共鳴空間部と前記放音孔とを連通する音導入路であって、前記基板に沿って設けられると共に前記放音孔に近づくに従ってその断面積が大きくなるように設けられた音導入路とを備えたことを特徴とする計器装置に存する。
【０００７】
請求項５記載の発明は、音を発生させる振動板と、背面に前記振動板が搭載される基板と、該基板を収容する収容ケースと、該収容ケースの基板側に設けた開口部を覆うカバーとを備えた音響装置において、前記基板と前記カバーとの間に設けられた前記振動板の共鳴空間部と、前記カバーの側壁に設けられた放音孔と、前記共鳴空間部と前記放音孔とを連通する音導入路であって、前記基板に沿って設けられると共に前記放音孔に近づくに従ってその断面積が大きくなるように設けられた音導入路とを備えたことを特徴とする音響装置に存する。
【０００８】
請求項１及び５記載の発明によれば、振動板の共鳴空間部が、基板とカバーとの間に設けられている。カバーの側壁に放音孔が設けられている。音導入路が、共鳴空間部と放音孔とを連通する音導入路であって、基板に沿って設けられると共に放音孔に近づくに従ってその断面積が大きくなるように設けられている。従って、音導入路の断面積が放音孔に近づくに従って大きくなることにより、効率的に振動板の振動を音響エネルギーに変換することができる。しかも、カバー側面に設けた放音孔を設けることにより、音導入路を基板に沿って設けることができ、基板の背面側のスペースを有効に活用して、音導入路を設けることができる。
【０００９】
請求項２記載の発明は、前記放音孔が前記カバーの側壁に設けられた凸部の正面に設けられたことを特徴とする請求項１記載の計器装置に存する。
【００１０】
請求項２記載の発明によれば、放音孔がカバーの側壁に設けられた凸部の正面に設けられているので、正面に向かって音を放音することができる。
【００１１】
請求項３記載の発明は、前記共鳴空間部の前記基板と直交する方向の高さが、前記音導入路の高さよりも大きくなるように設けられていることを特徴とする請求項１又は２記載の計器装置に存する。
【００１２】
請求項３記載の発明によれば、共鳴空間部の基板と直交する方向の高さが、音導入路の高さよりも大きくなるように設けられているので、基板とカバーとの間の最大高さが、共鳴空間部の基板と直交する方向の高さとなる。
【００１３】
請求項４記載の発明は、前記音導入路が、前記共鳴空間部を中心とした前記基板に沿った渦巻き状になるように設けられていることを特徴とする請求項１〜３何れか１項記載の計器装置に存する。
【００１４】
請求項４記載の発明によれば、音導入路が、共鳴空間部を中心とした基板に沿った渦巻き状になるように設けられているので、基板の振動板側のスペースをさらに有効に使用することができる。
【発明の効果】
【００１５】
以上説明したように請求項１及び５記載の発明によれば、音導入路の断面積が放音孔に近づくに従って大きくなることにより、効率的に振動板の振動を音響エネルギーに変換することができる。しかも、カバー側壁に放音孔を設けて、音導入路を基板に沿って設けることができ、基板の背面側のスペースを有効に活用して、音導入路を設けることができるので、十分な音圧を得つつ薄型化を図ることができる。
【００１６】
請求項２記載の発明によれば、正面に向かって音を放音することができるので、より一層大きな音圧を得ることができる。
【００１７】
請求項３記載の発明によれば、基板とカバーとの間の最大高さが、共鳴空間部の基板と直交する方向の高さとなるので、より一層薄型化を図ることができる。
【００１８】
請求項４記載の発明によれば、基板の振動板側のスペースを有効に使用することができ、より一層薄型化を図ることができる。
【発明を実施するための最良の形態】
【００１９】
以下、本発明の一実施の形態を図面に基づいて説明する。図１は、本発明の音響装置を組み込んだ計器装置の部分背面斜視図である。図２は、図１に示す計器装置のＩＩＩ−ＩＩＩ線部分断面斜視図である。図３は、図１に示す計器装置のＩＩ−ＩＩ線部分破断図である。図４は、図１に示す計器装置のＩＩ−ＩＩ線断面図である。図５は、図４に示す計器装置のＡ−Ａ線断面図である。図６（Ａ）〜（Ｄ）はそれぞれ、図４に示す計器装置のＢ−Ｂ線部分断面図であり、Ｃ−Ｃ線部分断面図であり、Ｄ−Ｄ線部分断面図であり、Ｅ−Ｅ線部分断面図である。
【００２０】
この計器装置は、例えば車両のインストルメントパネルに取り付けられる。計器装置は、振動板を備えたブザー１０（図３〜図５）と、背面にブザー１０が搭載される基板１１（図３〜図５）と、基板１１の正面に配置される図示しない計器と、計器及び基板１１を収容する収容ケース１２（図１、図３）と、収容ケース１２の計器側に設けた開口部を覆う表ガラス１３（図１、図３）と、収容ケース１２の基板１１側に設けたの開口部を覆う裏カバー１４（＝カバー）を備えている。
【００２１】
上記ブザー１０は、基板１１からの電源供給を受けると振動板を振動させて例えば警報音を発生する。計器は、例えば車両速度やエンジン回転数の指標が形成された文字板、文字板上の指標を指示する指針、指針を駆動するモータ、文字板を照明する光源などから構成されている。上記モータ、光源など計器を構成する電気部品は、基板１１の正面側及び背面側又は何れか一方に搭載されている。上記文字板、指針などは、基板１１の正面側に配置されている。
【００２２】
収容ケース１２は、正面側も背面側も受皿状に形成されている。収容ケース１２の正面側に計器の文字板などが収容される。一方、収容ケース１２の背面側に基板１１が収容される。収容ケース１２の計器側に設けた開口部は表ガラス１３によって覆われている。これにより、正面から表ガラス１３を通して計器が視認できる。収容ケース１２の基板１１側に設けた開口部は裏カバー１４によって覆われている。
【００２３】
裏カバー１４は、裏カバー本体１５と、裏カバー本体１５の背面側の一部に設けた開口部を覆うカバー部１６とから構成されている。裏カバー本体１５には、背面側に向かって突起する結合爪１７が設けられている。この結合爪１７には係止孔が設けられている。この係止孔内にカバー部１６に設けた係止突起が嵌め込まれることにより、裏カバー本体１５にカバー部１６が係止する。
【００２４】
また、計器装置は、図５に示すように、基板１１と裏カバー１４との間に設けられたブザー１０の共鳴空間部１８を備えている。共鳴空間部１８は、正面が基板１１によって形成され、背面がカバー部１６によって形成されている。そして、共鳴空間部１８は、正面側の側面が裏カバー本体１５によって形成され、背面側の側面がカバー部１６によって形成されている。共鳴空間部１８は、ブザー１０の周波数を共振して増幅させる容量を有している。また、カバー部１６には、共鳴空間部１８に空気を流入する空気流通孔２４が設けられている（図１、図５）。
【００２５】
また、計器装置は、凸部１９と、放音孔２０（図２）と、音導入路２１とを備えている。凸部１９は、裏カバー１４の上面側の側壁に設けられている。凸部１９は、中空状に形成され、その正面に幅広の放音孔２０が設けられている。音導入路２１の一端は、図５に示すように、連通孔２２を通じて共鳴空間部１８と連通している。音導入路２１の他端は、図４に示すように、連通孔２３を通じて凸部１９内に連通している。即ち、音導入路２１は、共鳴空間部１８と放音孔２０とを連通する。
【００２６】
音導入路２１は、図３及び図４に示すように、共鳴空間部１８を中心として基板１１に沿った渦巻き状になるように設けられている。また、音導入路２１は、図６に示すように、正面が裏カバー本体１５によって形成され、背面がカバー部１６によって形成されている。音導入路２１は、正面側の側面が裏カバー本体１５によって形成され、背面側の側面がカバー部１６によって形成されている。
【００２７】
音導入路２１は、放音孔２０が近づくに従ってその断面積が大きくなるように設けられている。即ち、図６において、音導入路２１のＢ−Ｂ線での断面積をＳB、音導入路２１のＣ−Ｃ線での断面積をＳC、音導入路２１のＤ−Ｄ線での断面積をＳD、音導入路２１のＥ−Ｅ線での断面積をＳE、放音孔２０の開口面積をＳFとすると、下記の式（１）に示す関係となる。
ＳF＞ＳE＞ＳD＞ＳC＞ＳB  …（１）
【００２８】
詳しくは、音導入路２１は、図６に示すように、その幅ＷB〜ＷDが放音孔２０に近づくに従って広くなるように設けて、断面積を大きくしている。音導入路２１は、その高さＨB〜ＨDが放音孔２０に近づくに従って広くなるように設けて、断面積を大きくしている。また、共鳴空間部１８の基板１１と直交する方向Ｙ２の高さＨ（図５）は、音導入路２１の高さ（例えばＨB〜ＨD）よりも高くなるように設けられている。
【００２９】
上述した計器装置によれば、音導入路２１の断面積が放音孔２０に近づくに従って大きくなる。これにより、効率的にブザー１０の振動板の振動を音響エネルギーに変換することができる。しかも、裏カバー１４側面に設けた凸部１９の正面に放音孔２０を設けている。これにより、音導入路２１を基板１１に沿って設けることができる。上記基板１１は、正面に計器が設けられて関係上ある程度の大きさがある。そして、この基板１１に沿って音導入路２１を設けることにより、効率的に音響エネルギーに変換するために十分な長さの音導入路２１を設けることができ、基板１１の背面側のスペースを有効に活用して、音導入路２１を設けることができる。従って十分な音圧を得つつ薄型化を図ることができる。
【００３０】
また、上述した計器装置によれば、共鳴空間部１８の高さＨが、音導入路２１の高さよりも大きくなるように設けられているので、基板１１と裏カバー１４との間の最大高さが、共鳴空間部１８の高さＨとなるので、より一層薄型化を図ることができる。
【００３１】
また、上述した計器装置によれば、音導入路２１が、共鳴空間部１８を中心とした基板１１に沿った渦巻き状になるように設けられているので、基板１１のブザー１０側のスペースをさらに有効に使用することができ、より一層薄型化を図ることができる。
【００３２】
なお、上述した実施形態では、図５に示すように、共鳴空間部１８は、その側面がカバー部１６及び裏カバー本体１５の両者によって形成されていたが、本発明はこれに限ったものではない。例えば、共鳴空間部１８としては、その側面がカバー部１６のみによって形成されてもよいし、裏カバー本体１５のみによって形成されてもよい。
【００３３】
また、上述した実施形態では、図６に示すように、音導入路２１は、その側面がカバー部１６及び裏カバー本体１５の両者によって形成されていたが、本発明はこれに限ったものではない。例えば、音導入路２１としては、その側面がカバー部１６のみによって形成されてもよいし、裏カバー本体１５のみによって形成されてもよい。
【００３４】
また、上述した実施形態では、共鳴空間部１８の高さＨが、音導入路２１の高さよりも大きくなるように設けられていたが、本発明はこれに限ったものではない。例えば、音導入路２１の高さが、共鳴空間部１８の高さＨよりも高い部分があってもよい。
【００３５】
また、上述した実施形態では、音導入路２１が、共鳴空間部１８を中心とした基板１１に沿った渦巻き状になるように設けられていたが、本発明はこれに限ったものではない。音導入路２１は、放音孔２０が近づくに従ってその断面積が大きくなるように設ければよく、その基板１１上での形状はどんな形状であってもよい。例えば、共鳴空間部１８から放音孔２０まで直線状に設けられいてもよい。
【００３６】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３７】
【図１】本発明の音響装置を組み込んだ計器装置の部分背面斜視図である。
【図２】図１に示す計器装置のＩＩＩ−ＩＩＩ線部分断面斜視図である。
【図３】図１に示す計器装置のＩＩ−ＩＩ線部分破断図である。
【図４】図１に示す計器装置のＩＩ−ＩＩ線断面図である。
【図５】図４に示す計器装置のＡ−Ａ線断面図である。
【図６】（Ａ）〜（Ｄ）はそれぞれ、図４に示す計器装置のＢ−Ｂ線部分断面図であり、Ｃ−Ｃ線部分断面図であり、Ｄ−Ｄ線部分断面図であり、Ｅ−Ｅ線部分断面図である。
【図７】従来の音響装置を組み込んだ警報装置の一例を示す断面図である。
【符号の説明】
【００３８】
１０  ブザー（振動板）
１１  基板
１２  収容ケース
１４  裏カバー（カバー）
１８  共鳴空間部
１９  凸部
２０  放音孔
２１  音導入路
【図１】
2008070481.tif 000003
【図２】
2008070481.tif 000004
【図３】
2008070481.tif 000005
【図４】
2008070481.tif 000006
【図５】
2008070481.tif 000007
【図６】
2008070481.tif 000008
【図７】
2008070481.tif 000009